(57)【要約】【課題】ロアストッパを突出姿勢側に戻す付勢手段として付勢力があまり強くないものを用いながら、ロアストッパを突出姿勢に素早く停止させることができ、ソレノイドを損傷させることもない自動販売機の商品払出装置を提供する。【解決手段】ロアストッパ１５を、最下端の商品を受けるロア受け部材２６と、突出姿勢の際にロア受け部材２６を下方から受けるロア保持部材２４とに分割して配設し、ロア受け部材２６とロア保持部材２４とを、所定角度だけ開閉可能な隙間を持たせた状態で互いに係止させた。これにより、ロアストッパ１５が突出姿勢側と退避姿勢側とに回動する際に、ロア受け部材２６とロア保持部材２４とが互いに開閉可能な範囲で開閉されて、ロアストッパ１５を正規の突出姿勢に素早く停止させることができる。【選択図】図９
2007293728.tif 000002
【特許請求の範囲】
【請求項１】
略上下方向に延びるように配設されて複数の商品を収納可能な収納搬送路と、収納搬送路の下端部に臨むように配置された払出ユニットとを備え、
この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるロアロックシャフトを有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、
前記ロアストッパを、
ロア軸支シャフトに回動自在に軸支され、最下端の商品を受けるロア受け部材と、
ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、
ロア受け部材とロア保持部材とを、ロア軸支シャフトを中心として、所定角度だけ開閉可能な隙間を持たせた状態で互いに係止させた
自動販売機の商品払出装置。
【請求項２】
ロアストッパ付勢手段を、ロアストッパのロア保持部材に当接させて付勢している請求項１記載の自動販売機の商品払出装置。
【請求項３】
略上下方向に延びるように配設されて複数の商品を収納可能な収納搬送路と、収納搬送路の下端部に臨むように配置された払出ユニットとを備え、
この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるロアロックシャフトを有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、
前記ロアストッパを、
ロア軸支シャフトに回動自在に軸支され、最下端の商品を受けるロア受け部材と、
ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、
ロア保持部材におけるロア軸支シャフトを挿入する孔部の直径を、ロア受け部材におけるロア軸支シャフトを挿入する孔部の直径よりも大きくした
自動販売機の商品払出装置。
【請求項４】
略上下方向に延びるように配設されて複数の商品を収納可能な収納搬送路と、収納搬送路の下端部に臨むように配置された払出ユニットとを備え、
この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるアッパー駆動シャフトおよびロアロックシャフト、アッパー駆動シャフトおよびロアロックシャフトを昇降自在に案内する案内部材を有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、
前記ロアストッパを、
ロア軸支シャフトに回動自在に軸支され、最下端の商品を受けるロア受け部材と、
ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、
前記案内部材に、アッパーストッパが突出姿勢側に回動した際に互いに当接するとともに、ロアストッパのロア保持部材が突出姿勢側に回動するほどロア保持部材をロアストッパ先端側に向けて押圧しながら突出姿勢側への移動を規制する摺接部を設けた
自動販売機の商品払出装置。
【請求項５】
略上下方向に延びるように配設されて複数の商品を収納可能な収納搬送路と、収納搬送路の下端部に臨むように配置された払出ユニットとを備え、
この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるロアロックシャフト、アッパー駆動シャフトおよびロアロックシャフトを昇降自在に案内する案内部材を有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、
前記ロアストッパを、
ロア軸支シャフトに回動自在に軸支され、最下端の商品を受けるロア受け部材と、
ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、
ロアストッパをロア軸支シャフトの軸心方向に付勢するスラスト付勢手段を設け、
前記スラスト付勢手段の付勢力によりロアストッパが回動する際にロアストッパのロア保持部材が前記案内部材に押し付けられながら摺接するように構成した
自動販売機の商品払出装置。
【請求項６】
略上下方向に延びるように配設されて複数の商品を収納可能な収納搬送路と、収納搬送路の下端部に臨むように配置された払出ユニットとを備え、
この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるロアロックシャフト、アッパー駆動シャフトおよびロアロックシャフトを昇降自在に案内する案内部材を有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、
前記ロアストッパを、
ロア軸支シャフトに回動自在に軸支され、最下端の商品を受けるロア受け部材と、
ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、
ロアストッパをロア軸支シャフトの軸心方向に付勢するスラスト付勢手段を設け、
ロアストッパのロア保持部材と前記案内部材とのロアストッパ開閉時に互いにロア軸支シャフトの軸心方向に沿って互いに対向する箇所の少なくとも一方に、ロア軸支シャフトの軸心方向に沿って突出する凸部を形成し、
ロアストッパが回動する際に前記スラスト付勢手段により付勢された状態でロアストッパのロア保持部材と前記案内部材とが前記凸部で強く当接する状態で摺接するように構成した
自動販売機の商品払出装置。
【請求項７】
ロアストッパ付勢手段として、収納搬送路内に突出する方向だけでなく、ロア軸支シャフトの軸心方向にも付勢して、スラスト付勢手段としても機能する付勢手段を用いた請求項５または６に記載の自動販売機の商品払出装置。
【発明の詳細な説明】
【技術分野】
【０００１】
本発明は自動販売機に関し、特に自動販売機における収納搬送路に収容された商品を下方側から払い出す商品払出装置に関する。
【背景技術】
【０００２】
缶飲料やＰＥＴボトル飲料などの商品を販売する、いわゆるサーペンタイン式の自動販売機は知られている。
この種の自動販売機においては、前面扉により前面開口部が開閉される自動販売機本体内に、缶体などの商品を収納する収納搬送路がそれぞれ上下に蛇行状に延びるようにして前後方向に複数列配設されている。収納搬送路の下端部間には、１列おきに、収納した商品を順次払い出す商品払出装置が設けられている。商品払出装置は一対の払出ユニットを互いに背中合わせの状態で配置し、前後に隣り合う収納搬送路の間に各払出ユニットが臨んで対面する状態で配置構成されている。
【０００３】
この種の払出ユニットとして、例えば特許文献１などに開示されたものがある。この払出ユニットは、収納搬送路の下端部に臨むように配置され、複数の開口窓などが形成された箱枠状の枠体内に、この枠体により回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支され、収納搬送路内に突出することにより収納搬送路内の最下端の商品の落下を規制するロアストッパと、駆動源としてのソレノイドと、このソレノイドにより駆動アームを昇降させ、この駆動アームの昇降動作に連動させる駆動手段とが設けられた構成とされている。
【０００４】
駆動アームの昇降動作に連動させる駆動手段として、アッパーストッパの背面側に形成された溝部に係合してアッパーストッパを出退させるアッパー駆動シャフトと、ロアストッパの下部から背面側に円弧状に延びるアーム部に当接して、ロアストッパが背面側に揺動することを阻止する回り止めとしてのロアロックシャフトとが、駆動アームを横方向に貫通する姿勢で挿通されており、これらのアッパー駆動シャフトとロアロックシャフトとが駆動アームとともに昇降される。前記ロアストッパは、商品の落下を規制する略平板形状のロア受け部材とこのロア受け部材を支持するとともに背面側に円弧状に延びるアーム部が形成されたロア保持部材とからなり、これらを密着させて組付けた構造とされている。また、ロアストッパは、ロアストッパ付勢ばねにより、収納搬送路内に突出する方向に常時付勢されている。
【０００５】
ソレノイドに通電していない販売待機時では、アッパーストッパが払出ユニットの枠体内に収容されて収納搬送路から退避した退避姿勢とされ、ロアストッパが収納搬送路内に突出する突出姿勢とされており、これにより、最下端の商品も含めて収納搬送路から商品が払い出されることを阻止している。なお、この際、所定のロック位置に保持されたロアロックシャフトにロアストッパのアーム部が当接して、ロアストッパが退避姿勢側に回動しないようロック（阻止）されており、これにより、ロアストッパが突出姿勢に保持される。
【０００６】
また、この状態から販売指示などがあった際にソレノイドに通電することで、駆動アームとともに上昇するアッパー駆動シャフトにより、アッパーストッパが収納搬送路内に突出するように連動し、収納搬送路の下方から２番目の商品の落下を規制する。また、同時に駆動アームに挿入されたロアロックシャフトを上昇させることで、ロアロックシャフトがロアストッパのアーム部から離脱してロアストッパの退避姿勢側への回動が解除され、この結果、最下端の商品の自重により、ロアストッパ付勢ばねに抗してロアストッパが枠体内に収容されるように押し退けられて、最下端の商品だけが払い出される。したがって、ロアストッパ付勢ばねは、その付勢力が弱いものを用いるほうが、最下端の商品がスムーズに払い出されることとなる。最下端の商品が払い出されると、ロアストッパはロアストッパ付勢ばねの付勢力により突出姿勢側に戻される。
【０００７】
この後、ソレノイドへの通電を停止することで、アッパーストッパが払出ユニットの枠体内に収容された退避姿勢側に戻されるとともに、ロアロックシャフトがロック位置まで戻されて、ロアロックシャフトにロアストッパのアーム部が当接してロアストッパが退避姿勢側に回動しないようロック（阻止）され、これにより、ロアストッパにより商品の払出が阻止される。
【特許文献１】特開２００２−２８８７３０公報
【発明の開示】
【発明が解決しようとする課題】
【０００８】
前記商品払出装置において、商品払出時には、最下端の商品の通過によりロアストッパが一旦枠体内側に押し退けられ、この商品が通過した後は、ロアストッパがロアストッパ付勢ばねの付勢力により突出姿勢に戻されるが、この際に、ロアストッパは、突出姿勢側への過度の回動を規制するストッパ部分に当接した時にその反動で、また下方（退避姿勢側）に向かって回動する。そしてこの後に、再度、突出姿勢側に戻ろうとして回動する動作と、また反動で退避姿勢側に回動する動作を何度か繰り返しながら、その回動範囲が徐々に小さくなり、最終的に突出姿勢で停止する。
【０００９】
このロアストッパが正規の突出姿勢に停止することなく、回動する動作が続いている段階で、ソレノイドへの通電を停止すると、ロアロックシャフトの移動経路内にロアストッパのアーム部が入り込んでいる場合には、ロアロックシャフトが、ロアストッパのアーム部に当接して位置規制するロック位置まで移動できない。したがって、ロアストッパを突出姿勢にロックしていない状態で、アッパーストッパが退避姿勢側に移動されることとなって、下から２番目の商品やこれに続く商品も払い出され、多数本の商品が一度に払い出されるという不具合を生じる。
【００１０】
ここで、最下端の商品がロアストッパを押し退けて払い出されてから、ロアストッパが突出姿勢に収束して停止するまでの時間は、ロアストッパ付勢ばねの付勢力の強さにも影響する。つまり、ロアストッパ付勢ばねとしては付勢力が弱いものを用いることで、最下端の商品がスムーズに払い出される利点があるが、ロアストッパ付勢ばねとして付勢力の弱いものを用いると、付勢力に応じて突出姿勢側に戻る際の回動速度が遅くなるので、その分、長い時間がかかるとともに、突出姿勢側への過度の回動を規制するストッパ部分に当接した時の反動により、下方（退避姿勢側）に向かって回動する振幅も大きくなるので、余計に時間がかかってしまう。
【００１１】
これに対処すべく、ソレノイドの通電時間を長めにして、ロアストッパが正規の突出姿勢に確実に停止したタイミングで、ソレノイドの通電を停止することも考えられ、この場合には、ロアストッパが突出姿勢に停止してからアッパーストッパを退避姿勢に切り換えるので、多数本の商品が一度に払い出されることを防止できる。
【００１２】
しかし、自動販売機においては、収納搬送路内の商品を入れ換える場合などには、ソレノイドの通電、解除動作を連続して多数回（例えば３０回ほど）行わなければならないが、１回の通電時間が長くした状態で、多数回連続して払出動作を行うと、ソレノイドが過熱状態となり、ソレノイドの吸引力が大幅に低下して駆動アームなどを正規の位置まで駆動できなくなったり、ソレノイドが損傷したりすることがある。
【００１３】
本発明は上記課題を解決するもので、ロアストッパを突出姿勢側に戻す付勢手段として付勢力があまり強くないものを用いながら、ロアストッパを突出姿勢に素早く停止（収束）させることができ、ソレノイドを損傷させることもない自動販売機の商品払出装置を提供することを目的とするものである。
【課題を解決するための手段】
【００１４】
上記課題を解決するために本発明は、略上下方向に延びるように配設されて複数の商品を収納可能な収納搬送路と、収納搬送路の下端部に臨むように配置された払出ユニットとを備え、この払出ユニットに、回動自在に軸支され、収納搬送路内に突出することにより収納搬送路の下方から２番目の商品の落下を規制するアッパーストッパと、アッパーストッパの下方において横方向に沿って配置されたロア軸支シャフトと、このロア軸支シャフトにて回動自在に軸支されているとともにロアストッパ付勢手段により収納搬送路内に突出する方向に付勢され、収納搬送路内に突出することにより収納搬送路内の最下端の商品の落下を規制するロアストッパと、駆動源としてのソレノイド、および駆動源により昇降される駆動アーム、駆動アームに連動して昇降されるロアロックシャフトを有し、駆動アームの昇降動作に連動させて、アッパーストッパが収納搬送路内に突出する突出姿勢となりロアストッパが払出ユニット側に退避した退避姿勢となる状態と、アッパーストッパが払出ユニット側に退避した退避姿勢となりロアストッパが収納搬送路内に突出する突出姿勢となる状態とに切り換えてアッパーストッパおよびロアストッパを回動させる駆動手段とが設けられた自動販売機の商品払出装置であって、前記ロアストッパを、ロア軸支シャフトに回動自在に軸支され、最下端の商品を受けるロア受け部材と、ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、ロア受け部材とロア保持部材とを、ロア軸支シャフトを中心として、所定角度だけ開閉可能な隙間を持たせた状態で互いに係止させたことを特徴とする。
【００１５】
この構成により、ソレノイドが通電されてロアロックシャフトがロック位置から移動され、最下端の商品の自重によりロアストッパが一旦退避姿勢側に押込まれた後、前記商品が収納搬送路の下端部を通過した際には、ロアストッパがロアストッパ付勢手段の付勢力により、突出姿勢側に戻され、また、反動で退避姿勢側に回動する動作を何度か繰り返しながら、その回動範囲が徐々に小さくなり、最終的に突出姿勢で停止する。この場合に、上記構成では、ロアストッパをなすロア受け部材とロア保持部材とが、ロア軸支シャフトを中心として、所定角度だけ開閉可能な隙間を持たせた状態で互いに係止されているので、ロアストッパが上記のように回動する（突出姿勢側に戻され、また、反動で退避姿勢側に回動する）際に、ロア受け部材とロア保持部材とが互いに開閉可能な範囲で開閉するとともに衝突し合い、ロアストッパを回動させる運動エネルギーが、ロア受け部材とロア保持部材との開閉および衝突エネルギーとして吸収されて減少し、この結果、ロアストッパは、ロア受け部材とロア保持部材とを密着させて係合させている場合と比較して、短時間で回動しなくなり突出姿勢に停止する。
【００１６】
また、本発明は、ロアストッパ付勢手段を、ロアストッパのロア保持部材に当接させて付勢していることを特徴とする。
この構成により、ロアストッパが突出姿勢側に戻され、また、反動で退避姿勢側に回動する際に、ロア受け部材とロア保持部材との両者が互いに開閉可能な範囲で開閉するとともに衝突し合うこととなり、ロアストッパを正規の突出姿勢に素早く停止させることができる。
【００１７】
また、本発明は、ロアストッパを、ロア軸支シャフトに回動自在に軸支され、最下端の商品を受けるロア受け部材と、ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、ロア保持部材におけるロア軸支シャフトを挿入する孔部の直径を、ロア受け部材におけるロア軸支シャフトを挿入する孔部の直径よりも大きくしたことを特徴とする。
【００１８】
この構成により、ロアストッパが突出姿勢側に戻され、また、反動で退避姿勢側に回動する際に、ロア保持部材がロア軸支シャフトの軸径方向などに振動し、この結果、ロアストッパを回動させる運動エネルギーが吸収されて減少し、ロアストッパが短時間で回動しなくなり突出姿勢に停止する。
【００１９】
また、本発明は、ロアストッパを、ロア軸支シャフトに回動自在に軸支され、最下端の商品を受けるロア受け部材と、ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、アッパー駆動シャフトおよびロアロックシャフトを昇降自在に案内する案内部材に、アッパーストッパが突出姿勢側に回動した際に当接するとともに、ロアストッパのロア保持部材が突出姿勢側に回動するほどロア保持部材をロアストッパ先端側に向けて押圧しながら突出姿勢側への移動を規制する摺接部を設けたことを特徴とする。
【００２０】
この構成により、ロアストッパが突出姿勢側に戻される際に、ロアストッパのロア保持部材が案内部材の摺接部に摺接し、ロア保持部材をロアストッパ先端側に向けて押圧しながら突出姿勢側への移動を規制する。これにより、ロアストッパを回動させる運動エネルギーが吸収されて減少し、ロアストッパが短時間で回動しなくなり突出姿勢に停止する。したがって、ロアストッパを突出姿勢側に戻す付勢手段として付勢力があまり強くないものを用いても、ロアストッパを正規の突出姿勢に素早く停止させることができ、ソレノイドを損傷させることもない。
【００２１】
また、本発明は、ロアストッパを、ロア軸支シャフトに回動自在に軸支され、最下端の商品を受けるロア受け部材と、ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、ロアストッパをロア軸支シャフトの軸心方向に付勢するスラスト付勢手段を設け、前記スラスト付勢手段の付勢力によりロアストッパが回動する際にロアストッパのロア保持部材が前記案内部材に押し付けられながら摺接するように構成したことを特徴とする。
【００２２】
この構成により、ロアストッパが突出姿勢側に戻され、また、反動で退避姿勢側に回動する際に、スラスト付勢手段の付勢力によりロアストッパのロア保持部材が案内部材に押し付けられながら摺接し、この結果、比較的大きな摩擦力が発生して、その分だけロアストッパを回動させる運動エネルギーが吸収されて減少し、ロアストッパが短時間で回動しなくなり突出姿勢に停止する。したがって、ロアストッパを突出姿勢側に戻す付勢手段として付勢力があまり強くないものを用いても、ロアストッパを正規の突出姿勢に素早く停止させることができ、ソレノイドを損傷させることもない。
【００２３】
また、本発明は、ロアストッパを、ロア軸支シャフトに回動自在に軸支され、最下端の商品を受けるロア受け部材と、ロア軸支シャフトに回動自在に軸支された状態で、突出姿勢の際にロア受け部材を下方から受けるように配設され、かつロアロックシャフトに当接離間自在とされてロアロックシャフトが所定のロック位置にある場合に当接してロアストッパを突出姿勢に保持するロア保持部材とに分割して配設し、ロアストッパをロア軸支シャフトの軸心方向に付勢するスラスト付勢手段を設け、ロアストッパのロア保持部材と前記案内部材とのロアストッパ開閉時に互いにロア軸支シャフトの軸心方向に沿って互いに対向する箇所の少なくとも一方に、ロア軸支シャフトの軸心方向に沿って突出する凸部を形成し、ロアストッパが回動する際に前記スラスト付勢手段により付勢された状態でロアストッパのロア保持部材と前記案内部材とが前記凸部で強く当接する状態で摺接するように構成したことを特徴とする。
【００２４】
この構成により、ロアストッパが突出姿勢側に戻され、また、反動で退避姿勢側に回動する際に、スラスト付勢手段によりロア軸支シャフトの軸心方向に沿って付勢された状態で、ロアストッパのロア保持部材と前記案内部材とが凸部で強く当接する状態で摺接し、このときに比較的大きな摩擦力が発生するとともに、凸部によりロア保持部材が軸心方向に移動する力も発生し、その分だけロアストッパを回動させる運動エネルギーが吸収されて減少し、ロアストッパが短時間で回動しなくなり突出姿勢に停止する。したがって、ロアストッパを突出姿勢側に戻す付勢手段として付勢力があまり強くないものを用いても、ロアストッパを正規の突出姿勢に素早く停止させることができ、ソレノイドを損傷させることもない。
【００２５】
また、本発明は、ロアストッパ付勢手段として、収納搬送路内に突出する方向だけでなく、ロア軸支シャフトの軸心方向にも付勢して、スラスト付勢手段としても機能する付勢手段を用いたことを特徴とする。
【００２６】
この構成により、ロアストッパ付勢手段をスラスト付勢手段としても兼用できるので、ロアストッパ付勢手段と別個にスラスト付勢手段を設けた場合と比較して、部品点数を減らすことができ、製造コストを低減させることができる。
【発明の効果】
【００２７】
以上のように本発明によれば、ロアストッパを、最下端の商品を受けるロア受け部材と、突出姿勢の際にロア受け部材を下方から受けるロア保持部材とに分割して配設し、ロア受け部材とロア保持部材とを、所定角度だけ開閉可能な隙間を持たせた状態で互いに係止させたことにより、ロアストッパが突出姿勢側と退避姿勢側とにに回動する際に、ロア受け部材とロア保持部材とが互いに開閉可能な範囲で開閉されて、ロアストッパを正規の突出姿勢に素早く停止させることができ、ロアストッパを突出姿勢側に戻す付勢手段として付勢力があまり強くないものを用いても、ソレノイドの通電時間を短くすることができて、多数本の商品が一度に払い出されることを防止できる。また、ソレノイドを損傷させたりする不具合の発生を防止できて、信頼性が向上する。
【００２８】
また、ロアストッパ付勢手段を、ロアストッパのロア保持部材に当接させて付勢することで、ロアストッパを正規の突出姿勢に素早くかつ良好に停止させることができる。
また、ロアストッパを、最下端の商品を受けるロア受け部材と、突出姿勢の際にロア受け部材を下方から受けるロア保持部材とに分割して配設し、ロア保持部材におけるロア軸支シャフトを挿入する孔部の直径を、ロア受け部材におけるロア軸支シャフトを挿入する孔部の直径よりも大きくしたことにより、ロアストッパが回動する際に、ロア保持部材がロア軸支シャフトの軸径方向などに振動して、ロアストッパを短時間で突出姿勢に停止させることができて、ロアストッパを突出姿勢側に戻す付勢手段として付勢力があまり強くないものを用いても、ソレノイドの通電時間を短くすることができて、多数本の商品が一度に払い出されることを防止できる。また、ソレノイドを損傷させたりする不具合の発生を防止できて、信頼性が向上する。
【００２９】
また、ロアストッパを、最下端の商品を受けるロア受け部材と、突出姿勢の際にロア受け部材を下方から受けるロア保持部材とに分割して配設し、アッパー駆動シャフトおよびロアロックシャフトを昇降自在に案内する案内部材に、アッパーストッパが突出姿勢側に回動した際に当接するとともに、ロアストッパのロア保持部材が突出姿勢側に回動するほどロア保持部材をロアストッパ先端側に向けて押圧しながら突出姿勢側への移動を規制する摺接部を設けたことにより、ロアストッパが突出姿勢側に戻される際に、案内部材の摺接部によりロア保持部材がロアストッパ先端側に向けて押圧されながら突出姿勢側への移動が規制され、ロアストッパを短時間で突出姿勢に停止することができ、ロアストッパを突出姿勢側に戻す付勢手段として付勢力があまり強くないものを用いても、多数本の商品が一度に払い出されたり、ソレノイドを損傷させたりする不具合の発生を防止できて、信頼性が向上する。
【００３０】
また、ロアストッパを、最下端の商品を受けるロア受け部材と、突出姿勢の際にロア受け部材を下方から受けるロア保持部材とに分割して配設し、ロアストッパをロア軸支シャフトの軸心方向に付勢するスラスト付勢手段を設け、前記スラスト付勢手段の付勢力によりロアストッパが回動する際にロアストッパのロア保持部材が前記案内部材に押し付けられながら摺接するように構成したことにより、ロアストッパが回動する際に、スラスト付勢手段の付勢力によりロアストッパのロア保持部材が案内部材に押し付けられながら摺接し、ロアストッパを短時間で突出姿勢に停止させることができ、ロアストッパを突出姿勢側に戻す付勢手段として付勢力があまり強くないものを用いても、ソレノイドの通電時間を短くすることができて、多数本の商品が一度に払い出されることを防止できる。また、ソレノイドを損傷させたりする不具合の発生を防止できて、信頼性が向上する。
【００３１】
また、ロアストッパを、最下端の商品を受けるロア受け部材と、突出姿勢の際にロア受け部材を下方から受けるロア保持部材とに分割して配設し、ロアストッパをロア軸支シャフトの軸心方向に付勢するスラスト付勢手段を設け、ロアストッパのロア保持部材と前記案内部材とのロアストッパ開閉時に互いにロア軸支シャフトの軸心方向に沿って互いに対向する箇所の少なくとも一方に、ロア軸支シャフトの軸心方向に沿って突出する凸部を形成し、ロアストッパが回動する際に前記スラスト付勢手段により付勢された状態でロアストッパのロア保持部材と前記案内部材とが前記凸部で強く当接する状態で摺接するように構成したことにより、ロアストッパが回動する際に、ロアストッパのロア保持部材と前記案内部材とが凸部で強く当接する状態で摺接し、このときに比較的大きな摩擦力が発生するとともに、凸部によりロア保持部材が軸心方向に移動する力も発生し、その分だけロアストッパを回動させる運動エネルギーが吸収されて減少し、ロアストッパを短時間で突出姿勢に停止させることができ、ロアストッパを突出姿勢側に戻す付勢手段として付勢力があまり強くないものを用いても、ソレノイドの通電時間を短くすることができて、多数本の商品が一度に払い出されることを防止できる。また、ソレノイドを損傷させたりする不具合の発生を防止できて、信頼性が向上する。
【００３２】
また、ロアストッパ付勢手段として、収納搬送路内に突出する方向だけでなく、ロア軸支シャフトの軸心方向にも付勢して、スラスト付勢手段としても機能する付勢手段を用いたことにより、ロアストッパ付勢手段をスラスト付勢手段としても兼用できるので、ロアストッパ付勢手段と別個にスラスト付勢手段を設けた場合と比較して、部品点数を減らすことができ、製造コストを低減させることができる。
【発明を実施するための最良の形態】
【００３３】
以下、本発明の実施の形態にかかる自動販売機の商品払出装置を図面に基づき説明する。なお、商品払出装置以外の自動販売機の主要構成は従来のものと同じであるため、商品払出装置の箇所についてのみ説明する。
【００３４】
図１に示すように、この自動販売機の商品払出装置１においても、各収納搬送路２の下端部で一対の払出ユニット１０を互いに背中合わせの状態で配置し、略上下方向に延びる収納搬送路２を挟んで払出ユニット１０に対向する位置に商品幅規制板３を設けた状態で配置構成されている。
【００３５】
図２〜図７に示す（図２〜図４は販売待機時の状態を示し、図５〜図７は商品払出時の状態を示している）ように、各払出ユニット１０は、複数の開口窓などが形成された金属製で略箱枠形状の枠体１１と、枠体１１に略水平に支持されたアッパー軸支シャフト１２により回動自在に軸支され、収納搬送路２内に突出することにより収納搬送路２の下方から２番目の商品４とこれより上方の商品４の落下を規制するアッパーストッパ１３と、枠体１１におけるアッパー軸支シャフト１２の直下位置で略水平に支持されたロア軸支シャフト１４により回動自在に軸支され、収納搬送路２内に突出することにより収納搬送路２内の下方から１番目（すなわち、最下端）の商品４の落下を規制するロアストッパ１５と、払出ユニット１０の枠体１１における収納搬送路２に面しない裏面側上部に配置され、その出退部１６ａを昇降させる駆動源としての薄形のソレノイド１６と、上端がソレノイド１６の出退部１６ａに係止され、中央部に、アッパーストッパ１３を連動させる駆動手段としてのアッパー駆動シャフト１８が挿通され、下端部が、ロアストッパ１５を突出姿勢にロックするもう一つの駆動手段としてのロアロックシャフト１９を支持し、アッパーストッパ１３を払出ユニット１０側に退避した（大部分が払出ユニット１０内に収容された）退避姿勢から収納搬送路２内に突出する突出姿勢にわたって回動させ、また、ロアストッパ１５を収納搬送路２内に突出する突出姿勢にロックさせる駆動アーム１７と、枠体１１の裏側における下方中央寄り位置に固定されて、アッパー軸支シャフト１２およびロア軸支シャフト１４の幅方向中央部が回転自在に挿通されているとともにアッパー駆動シャフト１８の一端部およびロアロックシャフト１９の一端部を昇降可能な姿勢で案内する樹脂製の案内部材２０と、ソレノイド１６の出退部１６ａを突出姿勢側に付勢するソレノイド戻しばね２１と、ロアストッパ１５を突出姿勢側に付勢するロアストッパ付勢ばね２２と、枠体１１の裏面上部に取り付けられて商品４の売切を検知するための売切検知スイッチ２５と、売切検知スイッチ２５から収納搬送路２内に突出するように取り付けられ、収納搬送路２の下方から２番目の商品４に当接して売切の有無を検知する売切検知レバー２３と、売切検知レバー２３を収納搬送路２側に付勢するレバー付勢ばね２９、枠体１１の端辺に沿って装着され、ソレノイド１６や売切検知スイッチ２５の電線を通して案内するハーネスガイド２８などを備えている。なお、案内部材２０において、アッパー軸支シャフト１２およびロア軸支シャフト１４は、その幅方向中央部が隙間を有する状態で回転自在に挿通されている。
【００３６】
なお、この実施の形態においては、図１などに示すように、商品幅規制板３における各収納搬送路２の下端部に対応する箇所に、収納搬送路２側に突出する突部３ａが形成されており、アッパーストッパ１３により商品４の払出を阻止した際に、この突部３ａによっても商品４の払出を良好に阻止できるよう構成されているが、これに限るものではない。
【００３７】
また、図２、図５に示すように、ソレノイド１６や駆動アーム１７などは片側（図２、図５に示すように、払出ユニット１０を背面側から見て左側）に偏って配置され、アッパーストッパ１３の駆動アーム１７との係合部分であるアッパー駆動シャフト１８、ロアロックシャフト１９、案内部材２０、ソレノイド戻しばね２１、後述するロアストッパ１５のロア保持部材２４などもこれに対応して片側に偏って設けられている。
【００３８】
以下、各部について説明する。
図４、図７に示すように、アッパーストッパ１３はその下端部に形成されたボス部１３ａに、略水平に配設されたアッパー軸支シャフト１２が挿通された状態で回動自在に軸支されている。また、背面側に膨出する膨出部１３ｂに異形溝１３ｃが形成されているとともに、この異形溝１３ｃ内にアッパー駆動シャフト１８が係合可能とされており、ソレノイド１６の駆動による駆動アーム１７およびアッパー駆動シャフト１８の昇降動作に伴って、アッパーストッパ１３に形成された異形溝１３ｃ並びに異形溝１３ｃに続く当接部１３ｄがアッパー駆動シャフト１８に摺接しながら回動する構成とされ、アッパーストッパ１３の先端の商品受け面１３ｆで商品４を斜め下方から受けて、商品４が落下することを阻止する構成とされている。なお、異形溝１３ｃはアッパーストッパ１３における幅方向中央寄り箇所まで形成されているが、アッパーストッパ１３における幅方向中央寄り端部には形成されておらず、この端部に設けられた壁片部１３ｋにより、アッパー駆動シャフト１８が、アッパーストッパ１３の幅方向中央側（背面側から見て右側）に移動しないよう位置規制されている。また、駆動アーム１７はその中央部両側が折曲されるとともに、この折曲部に長孔１７ａが形成され、この長孔１７ａにアッパー駆動シャフト１８が挿通されている。また、アッパーストッパ１３が退避姿勢である際には、図４（ｂ）に示すように、案内部材２０の上部傾斜面近傍部２０ｉにアッパーストッパ１３の先端部背面側に設けられた閉時規制部１３ｉが当接し、アッパーストッパ１３が突出姿勢である際には、図７（ｂ）に示すように、案内部材２０から側方に突出するように一体形成した突起部２０ｅ（図８参照）が、アッパーストッパ１３のボス部１３ａに設けられた開時規制面１３ｊに当接することにより、アッパーストッパ１３の回動範囲（開閉範囲）が規制されるよう構成されている。
【００３９】
図１０などにも示すように、ロアストッパ１５は、左右両端から下方に屈曲する端面部２６ａに形成された挿通孔２６ｂに、略水平に配設されたロア軸支シャフト１４が挿通され、収納搬送路２内に大きく突出する突出姿勢と枠体１１に沿った退避姿勢とにわたって回動自在に支持され、金属板（例えば、ステンレス板）などの剛性の大きな材料で形成されて最下端の商品４を受けるロア受け部材２６と、樹脂により一体成形され、ロア軸支シャフト１４が挿通される挿通孔２４ｄが設けられたボス部２４ａ、ロア受け部材２６を受ける荷重受け部２４ｂ、およびこの荷重受け部２４ｂから略円弧状に膨出しているアーム部２４ｃを有するロア保持部材２４とで構成されている。上述したように、ロア保持部材２４は、片側に偏って設けられている一方、ロア受け部材２６は、枠体１１に対応して横方向に長尺に形成されている。また、図９（ａ）に示すように、ロア受け部材２６の一部にはロア保持部材２４に形成された係合孔２４ｆに挿入されてロア受け部材２６に係合するフック部２６ｃが形成され、このフック部２６ｃにより互いを係止させた状態で、図１０（ｃ）に示すように、ロア軸支シャフト１４に共に端面部２６ａの挿通孔２６ｂとボス部２４ａの挿通孔２４ｄとが挿通されることにより、ロアストッパ１５として一体的に回動するよう構成されている。
【００４０】
ここで、図９（ａ）に示すように、この実施の形態においてはロア受け部材２６のフック部２６ｃが、後方ほど下方となるテーパ状に屈曲した形状とされているが、特に、このフック部２６ｃが挿入されるロア保持部材２４の係合孔２４ｆが、係合時においてもフック部２６ｃに対して隙間を有するように大きめに形成されている。したがって、ロア受け部材２６とロア保持部材２４とが、ロア軸支シャフト１４を中心として、所定角度（図９（ａ）において実線で示す姿勢から仮想線で示す姿勢の角度範囲：例えば、６度から１０度）だけ開閉可能な状態で互いに係止されている。なお、図９（ｂ）は、ロア受け部材２６のフック部２６ｃに、ロア保持部材２４の係合孔２４ｆが密着する形状とした場合を参考例として示している。
【００４１】
また、図１０（ａ）、（ｂ）に示すように、ロア受け部材２６におけるロア軸支シャフト１４が挿通される挿通孔２６ｂの直径Ｄ１は、ロア軸支シャフト１４の直径にほぼ対応した寸法（ロア軸支シャフト１４に対してロア受け部材２６が回動可能な、ロア軸支シャフト１４の直径よりも僅かに大きい直径）としている一方、ロア保持部材２４におけるロア軸支シャフト１４が挿通される挿通孔２４ｄの直径Ｄ２は、前記ロア受け部材２６の挿通孔２６ｂの孔部の直径Ｄ１よりも大きく形成しており、これにより、ロア保持部材２４はロア軸支シャフト１４に対して少し隙間を有する状態（遊嵌した状態）で、すなわち、回動する際に、ロア保持部材２４がロア軸支シャフト１４の軸径方向などに振動可能な状態で配設されている。
【００４２】
また、図８、図１１に示すように、案内部材２０のアッパー軸支シャフト１２が挿通される箇所の近傍には、収納搬送路２側および下方に突出する突部２０ｆが一体形成されており、ロアストッパ１５のロア保持部材２４における基部（アッパー軸支シャフト１２寄り部分）の上面部分から少し上方に突出するように形成された突部２４ｇが、ロアストッパ１５が突出姿勢よりもさらに上方に回動しようとした際に、前記案内部材２０の突部２０ｆの下面部分に当接して、ロアストッパ１５がさらに上方に回動することを阻止するようになっている。なお、この際のロアストッパ１５を構成するロア保持部材２４の上限回動角度は、例えば、ロアストッパ１５が突出姿勢（ロア保持部材２４のアーム部２４ｃ先端がロアロックシャフト１９に当接した状態）から８度〜１２度とされている。
【００４３】
なお、駆動アーム１７はその下部両側が折曲されるとともに、この折曲部に長孔１７ｂが形成され、この長孔１７ｂにロアロックシャフト１９が挿通されている。また、駆動アーム１７の下端部に設けた孔１７ｄに、ソレノイド戻しばね２１の一端が係止されており、ソレノイド戻しばね２１の他端は、枠体１１の下辺部に設けられた係止用起立片部１１ｐに係止されている。
【００４４】
また、ロア軸支シャフト１４には、一端２２ａがロアストッパ１５のロア保持部材２４に背面側（下面側）から当接され（図５，図２において簡略的に示す）、他端２２ｂが枠体１１の係止部１１ｄに係止されたロアストッパ付勢ばね２２が外装され、このロアストッパ付勢ばね２２により、ロアストッパ１５は収納搬送路２内に突出する突出姿勢側に付勢されている。
【００４５】
枠体１１には、アッパーストッパ１３やロアストッパ１５が出退する開口部１１ｅが形成されているとともに、この開口部１１ｅに臨む左右辺部から裏面側に起立する第１、第２起立片部１１ｆ、１１ｇと、開口部１１ｅに臨む上辺部から裏面開口部側に起立する第３起立片部１１ｊとが形成されている。また、案内部材２０が、枠体１１の第３起立片部１１ｊに形成された上部支持用起立片部１１ｂと開口部１１ｅに臨む下辺部分に形成された下部支持用起立片部１１ｃとにより上下から挟持された姿勢で、アッパーストッパ１３およびロアストッパ１５の裏面側箇所における中央寄り箇所において上下に延びるように枠体１１に固定されている。また、第１、第２起立片部１１ｆ、１１ｇにそれぞれ２つずつ形成された孔部１１ｈ、１１ｉによってアッパー軸支シャフト１２とロア軸支シャフト１４が略水平姿勢に支持されている。なお、案内部材２０に形成された孔部２０ａ、２０ｂはいわゆるばか孔とされ、単にアッパー軸支シャフト１２とロア軸支シャフト１４とが挿通されているにがし孔である。
【００４６】
また、ハーネスガイド２８に近接して配置されている第１起立片部１１ｆと、開口部１１ｅの左右方向中央寄りにおいて上下に延びるように配置されている案内部材２０とには、アッパー駆動シャフト１８を昇降可能に案内する長孔１１ｍ、２０ｃと、ロアロックシャフト１９を昇降可能に案内する長孔１１ｎ、２０ｄとが形成され、これらの長孔１１ｍ、２０ｃ、１１ｎ、２０ｄによって、アッパー駆動シャフト１８とロアロックシャフト１９とが水平姿勢で昇降可能に案内されている。
【００４７】
さらに、枠体１１における左右の端辺と、上下の端辺とには、それぞれ背面側に起立する第４〜第７の起立片部１１ｑ、１１ｒ、１１ｓ、１１ｔが形成され、枠体１１における背面視して左の端辺に形成された第４の起立片部１１ｑには、図示しないが、組立時に、アッパー軸支シャフト１２とロア軸支シャフト１４、アッパー駆動シャフト１８とロアロックシャフト１９をそれぞれ挿通させる孔部が形成され、また、背面視して右側の端辺から起立する第５起立片部１１ｒによって、アッパー軸支シャフト１２とロア軸支シャフト１４とが、背面側から見て右側に移動しないよう位置規制されている。また、枠体１１の下部における幅方向中央には、背面側に起立する第８の起立片部１１ｕが上下に延びるように形成され、この第８の起立片部１１ｕによってロアロックシャフト１９が背面側から見て右側に移動しないよう位置規制されている。さらに、枠体１１の開口部１１ｅに対して背面視して左側から臨む第１起立片部１１ｆに対して、近接して取り付けられるハーネスガイド２８によって、アッパー軸支シャフト１２、ロア軸支シャフト１４、アッパー駆動シャフト１８およびロアロックシャフト１９がそれぞれ背面側から見て左側に移動しないよう位置規制されている。
【００４８】
図２〜図４に示すように、ソレノイド１６に通電していない状態（販売待機状態）では、ソレノイド戻しばね２１の付勢力で駆動アーム１７が下方に引っ張られ、駆動アーム１７の中央部に挿通されたアッパー駆動シャフト１８も下方側に位置してアッパーストッパ１３の異形溝１３ｃにおける最も奥の箇所に係合し、このアッパー駆動シャフト１８を介してアッパーストッパ１３が退避姿勢となる。また、駆動アーム１７の下部に取り付けられたロアロックシャフト１９も下方側に位置して、このロアロックシャフト１９がロアストッパ１５に設けられたロア保持部材２４のアーム部２４ｃ端部に当接してロアストッパ１５を突出姿勢とする。これにより、収納搬送路２の最下端の商品４の落下がロアストッパ１５にて規制されて収納搬送路２の商品４は保持される。
【００４９】
ソレノイド１６に通電すると、図５〜図７に示すように、ソレノイド１６の出退部１６ａが上昇するため、駆動アーム１７が上動され、これに伴って、アッパー駆動シャフト１８およびロアロックシャフト１９も上動する。アッパーストッパ１３は、その異形溝１３ｃに続く当接部１３ｄがアッパー駆動シャフト１８に当接して突出姿勢となる。一方、ロアロックシャフト１９がロア保持部材２４のアーム部２４ｃ端部から離脱してロアストッパ１５が退避可能な姿勢となる。これにより、収納搬送路２の下方より２番目の商品４の落下がアッパーストッパ１３にて規制されて収納搬送路２の下方より２番目より上方の商品４は保持されながら、収納搬送路２の最下端の商品４によりロアストッパ１５が収納搬送路２より退避する側に押込まれ、前記最下端の商品４の落下を規制するものがなくなってこの商品４だけが払い出される。
【００５０】
このように、最下端の商品４が収納搬送路２の下端部を通過した際には、ロアストッパ１５がロアストッパ付勢ばね２２の付勢力により、突出姿勢側に戻され、また、反動で退避姿勢側に回動する動作を何度か繰り返しながら、その回動範囲が徐々に小さくなり、最終的に突出姿勢で停止する。この場合に、上記構成では、ロアストッパ１５をなすロア受け部材２６とロア保持部材２４とが、ロア軸支シャフト１４を中心として、所定角度だけ開閉可能な隙間を持たせた状態で互いに係止されているので、ロアストッパ１５が上記のように回動する（突出姿勢側に戻され、また、反動で退避姿勢側に回動する）際に、ロア受け部材２６とロア保持部材２４とが互いに開閉可能な範囲で開閉するとともに衝突し合い、ロアストッパ１５を回動させる運動エネルギーが、ロア受け部材２６とロア保持部材２４との開閉および衝突エネルギーとして吸収されて減少し、この結果、図９（ｂ）に示すように、ロアストッパ１５は、ロア受け部材２６とロア保持部材２４とを密着させて係合させている場合（すなわち、ロア受け部材２６とロア保持部材２４とが常に一体化して回動するもの）と比較して、短時間で回動しなくなり突出姿勢に停止する。
【００５１】
より具体的には、最下端の商品４が収納搬送路２の下端部を通過した際には、ロアストッパ１５がロアストッパ付勢ばね２２の付勢力により突出姿勢側に戻され、まず、案内部材２０の突部２０ｆに、ロアストッパ１５のロア保持部材２４における突部２４ｇが下方から当接し、ロア保持部材２４の上方への回動が阻止される（図１１（ａ）の実線部参照）。この後、ロアストッパ１５のロア受け部材２６だけがその慣性力により、所定角度（ロア受け部材２６のフック部２６ｃとロア保持部材２４の係合孔２４ｆの壁面との間の隙間分）回動した段階で、ロア受け部材２６のフック部２６ｃの上面部分がロア保持部材２４の係合孔２４ｆの壁面に当接するまで、上方へ回動し続けて当接（衝突）する（図１１（ａ）の仮想線部参照）。そして、これにより、ロア受け部材２６の上方への回動が阻止され、この後、反動で退避姿勢側（下方）に回動し、前記隙間分だけ戻った後、ロア受け部材２６がロア保持部材２４の荷重受け部２４ｂに当接し、この後は、ロア受け部材２６とロア保持部材２４とが一体的に退避姿勢側に回動し、この際のエネルギーとロアストッパ付勢ばね２２の付勢力とが釣り合うところまで回動する（図１１（ｂ）参照）こととなり、さらに、反転して、また、突出姿勢側に戻る動作を繰り返す。このように、ロアストッパ１５が上記のように突出姿勢側に戻され、また、反動で退避姿勢側に回動する際に、ロア受け部材２６とロア保持部材２４とが互いに開閉可能な範囲で開閉するとともに衝突し合うため、ロアストッパ１５を回動させる運動エネルギーが、ロア受け部材２６とロア保持部材２４との開閉および衝突エネルギーとして吸収されて減少し、この結果、ロアストッパ１５は、短時間で回動しなくなり突出姿勢に停止する。
【００５２】
また、上記したように、ロア保持部材２４におけるロア軸支シャフト１４が挿通される挿通孔２４ｄの直径Ｄ２を、ロア受け部材２６におけるロア軸支シャフト１４が挿通される挿通孔２６ｂの直径Ｄ１よりも大きく形成して、ロア受け部材２６はロア軸支シャフト１４に対して少し隙間を有する状態で遊嵌されているので、ロアストッパ１５が突出姿勢側に戻される際および、反動で退避姿勢側に回動する際に、ロア保持部材２４がロア軸支シャフト１４の軸径方向などに振動し、この結果、ロアストッパ１５を回動させる運動エネルギーがさらに吸収されて減少し、ロアストッパ１５を一層短時間で突出姿勢に停止させることができる。
【００５３】
このように、上記構成によれば、最下端の商品４が収納搬送路２の下端部を通過した後、ロアストッパ１５が短時間で突出姿勢に停止されるので、ロアストッパ１５を突出姿勢側に戻すロアストッパ付勢ばね２２として付勢力があまり強くないものを用いても、また、ソレノイド１６への通電時間を長くしなくても、多数本の商品が一度に払い出されるという不具合を生じことを防止でき、ソレノイド１６の損傷も防止できるので、自動販売機としての信頼性が向上する。
【００５４】
なお、払出ユニット１０の組立は以下のようにして行う。まず、枠体１１にソレノイド１６や売切検知レバー２３、売切検知スイッチ２５、案内部材２０、駆動アーム１７などを取り付ける一方、ハーネスガイド２８を取り付けていない状態で、枠体１１の開口部１１ｅ内に、アッパーストッパ１３を配置するとともに、アッパー支持シャフト１２を、背面視して枠体１１の左側の通し孔などから、この枠体１１とアッパーストッパ１３のボス部１３ａ、案内部材２０を通して、アッパー支持シャフト１２の右端が、背面視して枠体１１の右側端辺から起立する第５起立片部１１ｒに当接するまで挿通させる。また、アッパー駆動シャフト１８を、背面視して枠体１１の左側から、この枠体１１とアッパーストッパ１３の異形溝１３ｃ、案内部材２０を通して、アッパーストッパ１３の壁片部１３ｋに当接するまで挿通させる。また、ロアアーム部材２４にベース板２６を組付けた状態で、枠体１１の開口部１１ｅ内に、ロアストッパ１５（ロアアーム部材２４とベース板２６）、ロアストッパ付勢ばね２２を配置するとともに、ロア支持シャフト１４を、背面視して枠体１１の左側から、この枠体１１とロアアーム部材２４およびベース板２６のボス部２４ａ、２６ａ、案内部材２０、ロアストッパ付勢ばね２２を通して、ロア支持シャフト１４の右端が、背面視して枠体１１の右側端辺から起立する第５起立片部１１ｒに当接するまで挿通させ、また、ロアストッパ付勢ばね２２の各端部を係止させる。また、ロアロックシャフト１９を、背面視して枠体１１の左側から、この枠体１１と駆動アーム１７の長孔１７ｂ、案内部材２０を通して、枠体１１の第８の起立片部１１ｕに当接するまで挿通させる。そして、この後に、ハーネスガイド２８を枠体１１に取り付けて、これらのシャフト（アッパー支持シャフト１２、ロア支持シャフト１４、アッパー駆動シャフト１８、ロアロックシャフト１９）が、背面側から見て左側に移動しないように位置規制する。そして、最後に、ハーネスガイド２８に、ソレノイド１６や売切検知スイッチ２５のハーネスを係止させ、また、ソレノイド戻しばね２１を駆動アーム１７の下端部と枠体１１の下辺部に設けられた係止用起立片部１１ｐとにわたって係止させる。このようにして組み立てることで、ヘッダ部がないアッパー駆動シャフト１８およびロアロックシャフト１９を用いながら、払出ユニット１０を良好に組み立てることができるよう構成されている。
【００５５】
また、上記実施の形態においては、ロア保持部材２４の上限回動位置を規制する構造として、案内部材２０に形成した突部２０ｆの下面部分に対して、ロア保持部材２４の突部２４ｇが下方から当接するように構成した場合を述べた（図１１参照）が、これに限るものではない。すなわち、図１２に示すように、案内部材２０の突部２０ｆの下方側が若干収納搬送路２側に突出するテーパ形状に形成するとともに、このテーパ面からなる摺接部２０ｆ’に当接する断面略くさび形状の摺接係合部２４ｈをロア保持部材２４における基部に形成する。そして、ロア保持部材２４が突出姿勢側に回動すると、ロア保持部材２４の摺接係合部２４ｈが案内部材２０の摺接部２０ｆ’に接触し、さらに突出姿勢側に回動すると、ロア保持部材２４の摺接係合部２４ｈが摺接部２０ｆ’に摺接するだけでなく、ロアストッパ１５の先端側に向けて押圧されながら（すなわち、ロア軸支シャフト１４の軸心からの距離が大きくなりながら）突出姿勢側への移動が規制されるようになっている。
【００５６】
この構成によれば、ロアストッパ１５が突出姿勢側に戻される際に、ロア保持部材２４の摺接係合部２４ｈが案内部材２０の摺接部２０ｆ’に摺接し、ロア保持部材２４をロアストッパ先端側に向けて押圧しながら突出姿勢側への移動を規制するので、ロアストッパ１５を回動させる運動エネルギーがさらに吸収されて減少し、ロアストッパ１５が一層短時間で回動しなくなり突出姿勢に停止する。したがって、ロアストッパ付勢ばね２２として付勢力があまり強くないものを用いても、また、ソレノイド１６への通電時間を長くしなくても、多数本の商品が一度に払い出されるという不具合を生じことを防止でき、ソレノイド１６の損傷も防止できるので、自動販売機としての信頼性が向上する。
【００５７】
次に、図１３〜図１６は本発明の他の実施の形態に係る自動販売機の商品払出装置を示し、図１３、図１４は販売待機時、図１５、図１６は商品払出時の状態を示している。この実施の形態では、ロアストッパ１５を突出姿勢側に付勢するロアストッパ付勢ばね２２’として、収納搬送路２内に突出する方向だけでなくロア軸支シャフト１４の軸心方向に伸びるＢ方向にも付勢するものが用いられている。具体的には、ロアストッパ付勢ばね２２’として、ロア軸支シャフト１４の軸心に沿う方向に対してコイル状の巻き部分同士が隙間を有しているものが用いられ（図１３、図１５においては簡略的に示している）、ロアストッパ付勢ばね２２’の一端２２ｂ’がロアストッパ１５のロア受け部材２６の一方の端面部２６ａ（図１３、図１５におけるロア受け部材２６において右側に示す端面部２６ａ）に下方および横方向（図１３、図１５に示すように、背面視して左側）から当接されている。すなわち、これにより、ロアストッパ１５が収納搬送路２内に突出する方向に付勢されているだけでなく、ロアストッパ１５のロア受け部材２６の他方の端面部２６ａ（図１３、図１５におけるロア受け部材２６において左側に示す端面部２６ａ）を介して、ロア軸支シャフト１４が軸心方向に伸びるＢ方向に付勢されている。
【００５８】
この構成により、ロアストッパ１５が突出姿勢側に戻され、また、反動で退避姿勢側に回動する際に、ロアストッパ付勢ばね２２’の付勢力によりロア保持部材２４のボス部２４ａにおける案内部材２０に臨むボス側面部２４ｉが、案内部材２０におけるこのボス側面部２４ｉに臨む摺接面２０ｇに押し付けられながら摺接する。この結果、この摺接部分に比較的大きな摩擦力が発生して、その分だけロアストッパ１５を回動させる運動エネルギーが吸収されて減少し、ロアストッパ１５が短時間で回動しなくなり突出姿勢に停止する。したがって、ロアストッパ付勢ばね２２’として付勢力があまり強くないものを用いても、また、ソレノイド１６への通電時間を長くしなくても、多数本の商品が一度に払い出されるという不具合を生じことを防止でき、ソレノイド１６の損傷も防止できるので、自動販売機としての信頼性が向上する。
【００５９】
また、この構成に加えて、図１７、図１８、図１９、図２０（ａ）に示すように、案内部材２０の摺接面２０ｇに側方（ロア保持部材２４のボス側面側）に突出する凸部２０ｈを形成するとともに、ロア保持部材２４のボス側面部２４ｉにおける一部に切欠凹部２４ｉ’を形成し、ロアストッパ１５が突出姿勢である場合には、案内部材２０の凸部２０ｈがロア保持部材２４のボス側面部２４ｉの切欠凹部２４ｉ’に嵌り込んでいる一方、ロア保持部材２４の案内部材２０に臨むボス側面部２４ｉが、ロアストッパ１５が突出姿勢側から退避姿勢側に回動する際には、ロアストッパ付勢ばね２２により付勢された状態で、ロア保持部材２４のボス側面部２４ｉ（切欠凹部２４ｉ’でない箇所）が、案内部材２０の凸部２０ｈに乗り上げながら大きな押圧力を受けるとともに、ロア軸支シャフト１４の軸心方向に位置が変動する状態で摺接するように構成してもよい。
【００６０】
これによれば、ロアストッパ１５が回動する際に、ロア保持部材２４のボス側面部２４ｉ（切欠凹部２４ｉ’でない箇所）が、案内部材２０の凸部２０ｈに大きな押圧力で摺接するとともに、ロア軸支シャフト１４の軸心方向に位置が変動するので、ロアストッパ１５を回動させる運動エネルギーが効果的に吸収されて減少し、ロアストッパ１５をより短時間で突出姿勢に停止させることができる。したがって、ロアストッパ付勢ばね２２として付勢力があまり強くないものを用いても、また、ソレノイド１６への通電時間を長くしなくても、多数本の商品が一度に払い出されるという不具合を生じことを防止でき、ソレノイド１６の損傷も防止できるので、自動販売機としての信頼性が向上する。
【００６１】
なお、図１３、図１５、図１７、図１８に示す実施の形態においては、ロアストッパ付勢ばね２２’として、ロア軸支シャフト１４の軸心に沿う方向に対してコイル状の巻き部分同士が隙間を有して、ロアストッパ１５を、収納搬送路２内に突出する方向だけでなくロア軸支シャフト１４の軸心方向に伸びる方向にも付勢するものを用いたが、これに限るものではない。すなわち、ロアストッパ１５を収納搬送路２内に突出する方向に付勢するばねとは別個に、ロア軸支シャフトの軸心方向に付勢するばねを設けてもよい。しかしながら、１つのロアストッパ付勢ばね２２’により、両機能を兼用するものを用いることで、部品点数を減らすことができ、製造コストを低減させることができる利点がある。
【００６２】
なお、この実施の形態では、ソレノイド１６や売切検知スイッチ２５のハーネスｈ（図２１（ｂ）参照、なお他の図面ではハーネスｈを省いている）を通して案内する樹脂製のハーネスガイド２８は、図２１に示すように、枠体１１の端辺（背面側より見て左側の端辺）である第４起立片部１１ｑとこの近傍に平行に延びる第１起立片部１１ｆとの間に嵌め込まれた状態で装着されている。具体的には、背面側より見てハーネスガイド２８の右辺部２８ｅ側に形成されている突部２８ａやリブ２８ｂが第１起立片部１１ｆに当接する状態で配設されている。ここで、ハーネスガイド２８の下端部近傍箇所には、前記ハーネスｈが、ハーネスガイド２８から外部に飛び出さないように左辺部２８ｄより右辺部２８ｅ側に延びてハーネスｈを上方から覆う山部２８ｃが形成されているが、この箇所では、山部２８ｃが左辺部２８ｄに極めて近接した位置に配設されている。したがって、このように装着した状態の形状になるようにハーネスガイド２８を樹脂成形して製造しようとすると、製造工程において、この近接箇所の金型が極めて薄肉状となってしまい、成形を繰り返し行うと、この薄肉部が損傷してしまう可能性が高い。
【００６３】
これに対処すべく、本実施の形態では、装着する前の状態、すなわちハーネスガイド２８の製造時においてはこの山部２８ｃが形成されている箇所が、図２２に示すように、右辺部２８ｅが大きく離反する形状に形成されており、装着時に力を加えることで、同様な形状に配設されるよう構成されている。この構成により、成形型におけるこの山部２８ｃと右辺部２８ｅとの間の隙間ｎに対応する箇所を厚肉形状に形成することができ、この結果、成形型の損傷を防止することができ、ひいては製造コストの低減化を図ることができる。
【図面の簡単な説明】
【００６４】
【図１】本発明の実施の形態に係る自動販売機の商品払出装置の全体側面図である。
【図２】同商品払出装置における販売待機時の払出ユニットの背面図である。
【図３】同商品払出装置における払出ユニットと収納搬送路の下端部との図２におけるIII−III線矢視断面図である。
【図４】（ａ）および（ｂ）は同商品払出装置における払出ユニットと収納搬送路の下端部との図２におけるIV（ａ）−IV（ａ）線矢視断面図およびIV（ｂ）−IV（ｂ）線要部矢視断面図である。
【図５】同商品払出装置における商品払出時の払出ユニットの背面図である。
【図６】同商品払出装置における払出ユニットと収納搬送路の下端部との図５におけるVI−VI線矢視断面図である。但し、ロアストッパは図外の商品により枠体側に押込まれて退避姿勢となった場合を示している。
【図７】（ａ）および（ｂ）は同商品払出装置における払出ユニットと収納搬送路の下端部との図５におけるVII（ａ）−VII（ａ）線矢視断面図およびVII（ｂ）−VII（ｂ）線要部矢視断面図である。
【図８】（ａ）および（ｂ）は案内部材の左側面図および背面図である。
【図９】（ａ）はロアストッパの要部側面断面図、（ｂ）は参考例としてのロアストッパの要部側面断面図である。
【図１０】（ａ）はロア受け部材の側面図、（ｂ）はロア保持部材の側面図、（ｃ）はロア受け部材とロア保持部材とを組付けた状態の側面図である。
【図１１】（ａ）はロアストッパが突出姿勢側に跳ね上がる状態を示す側面図、（ｂ）はロアストッパが反動で退避姿勢側に回動する状態を示す側面図である。
【図１２】（ａ）はロア受け部材の変形例を示す側面図、（ｂ）は同ロア受け部材の要部拡大側面図である。
【図１３】本発明の他の実施の形態に係る自動販売機の商品払出装置における販売待機時の払出ユニットの背面図である。
【図１４】同商品払出装置における払出ユニットと収納搬送路の下端部との、販売待機時の側面断面図である。
【図１５】同商品払出装置における商品払出時の払出ユニットの背面図である。
【図１６】同商品払出装置における払出ユニットと収納搬送路の下端部との、商品払出時の側面断面図である。
【図１７】本発明のさらに他の実施の形態に係る自動販売機の商品払出装置における販売待機時の払出ユニットの背面図である。
【図１８】同商品払出装置における商品払出時の払出ユニットの背面図である。
【図１９】（ａ）および（ｂ）は他の変形例に係る案内部材の左側面図および背面図である。
【図２０】（ａ）および（ｂ）はさらに他の変形例に係るロアストッパの商品払出時の要部背面図および側面断面図、（ｃ）は同ロアストッパの販売待機時の側面断面図である。
【図２１】本発明の実施の形態に係る自動販売機の商品払出装置におけるハーネスガイドが設けられている箇所とその近傍箇所の背面図である。
【図２２】（ａ）および（ｂ）はハーネスガイドの背面図および要部拡大背面図である。
【符号の説明】
【００６５】
１        商品払出装置
２        収納搬送路
４        商品
１０      払出ユニット
１１      枠体
１２      アッパー軸支シャフト
１３      アッパーストッパ
１４      ロア軸支シャフト
１５      ロアストッパ
１６      ソレノイド（駆動源）
１７      駆動アーム
１８      アッパー駆動シャフト（駆動手段）
１９      ロアロックシャフト（駆動手段）
２０      案内部材
２２      ロアストッパ付勢ばね
２８      ハーネスガイド
２４      ロア保持部材
２４ｄ    挿通孔
２４ｆ    係合孔
２６      ロア受け部材
２６ｃ    フック部
２６ｂ    挿通孔
【図１】
2007293728.tif 000003
【図２】
2007293728.tif 000004
【図３】
2007293728.tif 000005
【図４】
2007293728.tif 000006
【図５】
2007293728.tif 000007
【図６】
2007293728.tif 000008
【図７】
2007293728.tif 000009
【図８】
2007293728.tif 000010
【図９】
2007293728.tif 000011
【図１０】
2007293728.tif 000012
【図１１】
2007293728.tif 000013
【図１２】
2007293728.tif 000014
【図１３】
2007293728.tif 000015
【図１４】
2007293728.tif 000016
【図１５】
2007293728.tif 000017
【図１６】
2007293728.tif 000018
【図１７】
2007293728.tif 000019
【図１８】
2007293728.tif 000020
【図１９】
2007293728.tif 000021
【図２０】
2007293728.tif 000022
【図２１】
2007293728.tif 000023
【図２２】
2007293728.tif 000024